(57)【要約】    【課題】  基端側に針柄２を有する針１と、樹脂製の針管３とを、針１を針管３内に挿入し、針柄２の一部を針管３より突出させた状態で、確実に固定する。    【解決手段】  針管３の針柄２側の端部より半径方向外側に突出し、先端部に二股部５を形成した可撓性を有する係合片４を設ける。この係合片４を撓ませてＵ字状に折り返した状態で、二股部５のアール部５ａにより針柄２を針管３の内壁に押圧して、針柄２と針管３とを固定する。また、係合片４に突出形成したクサビ６を、針管３内の針柄２との隙間に進入させて、固定する。【選択図】  図２
2005323796.tif 000002
【特許請求の範囲】
【請求項１】
基端側に針柄を有する針と、樹脂製の針管とを、針を針管内に挿入し、針柄の一部を針管より突出させた状態で、固定する、針と針管との固定構造であって、
針管の針柄側の端部より半径方向外側に突出し、先端部に二股部を形成した可撓性を有する係合片を設け、この係合片を撓ませてＵ字状に折り返した状態で、二股部により針柄を針管の内壁に押圧して、針柄と針管とを固定することを特徴とする、針と針管との固定構造。
【請求項２】
前記係合片に、前記Ｕ字状に折り返した状態で、前記針管内の針柄との隙間に進入するクサビを突出形成したことを特徴とする請求項１記載の針と針管との固定構造。
【請求項３】
前記係合片及び前記針管に、前記係合片を前記Ｕ字状に折り返した状態で、互いに引っ掛かる係止爪を形成したことを特徴とする請求項１記載の針と針管との固定構造。
【請求項４】
前記係合片を前記Ｕ字状に折り返した状態で、前記係合片の先端部を前記針管に固着したことを特徴とする請求項１又は請求項３記載の針と針管との固定構造。
【請求項５】
前記係合片の二股部は、弾性力により針柄に嵌合して針柄を把持するものであることを特徴とする請求項１記載の針と針管との固定構造。
【発明の詳細な説明】
【技術分野】
【０００１】
本発明は、針（針柄）と針管との固定構造に関する。
【背景技術】
【０００２】
鍼治療の際は、針管を使って針を刺入するのが一般的であり、また、商品としての針は、針先を保護する必要がある。
従って、商品としての針は、基端側に針柄を有する針と、樹脂製の針管とを、針を針管内に挿入し、針柄の一部（外端部）を針管より突出させた状態で、固定しておくのが望ましく、使用時には、容易に取外せるようにする必要がある。
【０００３】
このため、従来、一般的には、針を針管内に挿入し、針柄の一部を針管より突出させた状態で、針管と針柄との隙間に別部材の小さなクサビを挿入（圧入）することで、両者を固定している。
一方、特許文献１、２に記載されているように、針柄の一部と針管の一部とを針管内で超音波溶着により固定するようにしたものもある。
【特許文献１】特開平８−０１０３１０号公報
【特許文献２】特開平９−０２８７５８号公報
【発明の開示】
【発明が解決しようとする課題】
【０００４】
しかしながら、別部材のクサビによる固定方法は、部品数が増える上、使用に際してクサビを取外すと、バラバラになり、小さなものであるので、処分する際の取扱いが面倒となる。
また、超音波溶着による固定方法は、針柄が樹脂製であれば可能であるが、針柄が金属製の場合は採用できない。また、針管内での固定となるため、超音波溶着に代えて、接着剤により接着することも難しい。
【０００５】
本発明は、このような問題点に鑑み、部品点数を増やすことなく、また針柄が金属製であると樹脂製であるとを問わずに、簡単な機械的な方法で、針（針柄）と針管とを固定可能とすることを目的とする。
【課題を解決するための手段】
【０００６】
このため、請求項１の発明では、針管の針柄側の端部より半径方向外側に突出し、先端部に二股部を形成した可撓性を有する係合片を設け、この係合片を撓ませてＵ字状に折り返した状態で、二股部により針柄を針管の内壁に押圧して、針柄と針管とを固定することを特徴とする。
請求項２の発明では、前記係合片に、前記Ｕ字状に折り返した状態で、前記針管内の針柄との隙間に進入するクサビを突出形成したことを特徴とする。
【０００７】
請求項３の発明では、前記係合片及び前記針管に、前記係合片を前記Ｕ字状に折り返した状態で、互いに引っ掛かる係止爪を形成したことを特徴とする。
請求項４の発明では、前記係合片を前記Ｕ字状に折り返した状態で、前記係合片の先端部を前記針管に固着（例えば熱溶着、超音波溶着、接着剤による接着など）したことを特徴とする。
【０００８】
請求項５の発明では、前記係合片の二股部は、弾性力により針柄に嵌合して針柄を把持するものであることを特徴とする。
【発明の効果】
【０００９】
請求項１の発明によれば、部品点数を増やすことなく、また針柄が金属製であっても、確実に固定できる。
請求項２の発明によれば、一体型のクサビを用いて、確実に固定状態を維持できる。
請求項３の発明によれば、係止爪を用いて、確実に固定状態を維持できる。
請求項４の発明によれば、熱溶着、超音波溶着、接着剤による接着などにより固着することで、確実に固定状態を維持できる他、一度、取外してしまうと、再使用できないので、使い捨てを担保することができる。
【００１０】
請求項５の発明によれば、係合片により針柄を把持することで、確実に固定することができる。
【発明を実施するための最良の形態】
【００１１】
以下に本発明の実施の形態を図面に基づいて説明する。
図１及び図２は本発明の第１実施形態を示し、図１は針及び針管の正面図及び平面図、図２は固定状態での正面図及び平面図である。
針１は、金属製の針体の先端側に針先部を有し、基端側に、カシメなどにより固定した金属製の針柄２を有する。尚、針柄２はインサート成形による樹脂製であってもよい。
【００１２】
針管３は、針柄２の外径より大きい内径を有する樹脂製の円筒体である。樹脂材料としては、例えばポリプロピレン、ポリエチレン、ポリスチレン等が用いられる。
ここにおいて、針１に針管３を被せて、針１を針管３内に完全に納め、針柄２についてはその一部（外端部）を針管３より突出させ、この状態で後述のように固定する。
針１（針柄２）と針管３との固定のため、針管３に、その針柄２側の端部より半径方向外側に突出する可撓性を有する係合片４を設ける。この係合片４の先端部には二股部（フォーク状部）５を形成する。この二股部５の内側の最奥部は、針柄２の径と同じかやや大きい径のアール部５ａをなし、アール部５ａより先端側はアール部５ａの径と同じ幅で開口している。
【００１３】
また、係合片４の二股部５の付け根付近から、アール部５ａの内面に連なって、上方へ延びる先細のクサビ６を設ける。
固定する際は、図２に示すように、係合片４を撓ませてＵ字状に折り返し、係合片４の二股部５を針柄２に嵌め、二股部５のアール部５ａで針柄２の上部を押圧し、針柄２の下部を針管３の内壁に押圧する。
【００１４】
このとき、Ｕ字状に折り返した係合片４の上側部分を水平状態（針管３の端面と平行な状態）より更に押込むことで、係合片４の弾性復元力により、固定状態が保持される。
また、この状態で、係合片４のクサビ６を、針管３内の針柄２との隙間に押し入れることで、確実に固定できる。
これにより、針柄２と針管３とが一体化されるので、この状態で、包装し、滅菌すればよい。
【００１５】
鍼治療に使用する際は、二股部５に指を引っ掛けるなどして、これを上方へ持ち上げれば、クサビ６が退出すると共に、二股部５が針柄２から外れて、針柄２に対する拘束がなくなり、針管３から、針１を取出すことができる。
図３及び図４は本発明の第２実施形態を示し、図３は針及び針管の正面図及び平面図、図４は固定状態での正面図及び平面図である。
【００１６】
針１（針柄２）と針管３との固定のため、針管３に、その針柄２側の端部より半径方向外側に突出する可撓性を有する係合片４を設ける。この係合片４の先端部には二股部（フォーク状部）５を形成する。この二股部５の内側の最奥部は、針柄２の径と同じかやや大きい径のアール部５ａをなし、アール部５ａより先端側はアール部５ａの径と同じ幅で開口している。
【００１７】
また、係合片４の二股部５の先端を立ち上げ、立ち上げ部の先端に係止爪７を形成する。その一方、針管３の針柄２側の端部で、係合片４の突出位置とは反対側の部分を、突出させ、ここに係止爪８を形成する。
固定する際は、図４に示すように、係合片４を撓ませてＵ字状に折り返し、係合片４の二股部５を針柄２に嵌め、二股部５のアール部５ａで針柄２の上部を押圧し、針柄２の下部を針管３の内壁に押圧する。
【００１８】
このとき、Ｕ字状に折り返した係合片４の上側部分を水平状態（針管３の端面と平行な状態）より更に押込むことで、係合片４の弾性復元力により、固定状態が保持される。
また、この状態で、係合片４の係止爪７と針管３の係止爪８を引っ掛けることで、確実に固定できる。
これにより、針柄２と針管３とが一体化されるので、この状態で、包装し、滅菌すればよい。
【００１９】
鍼治療に使用する際は、二股部５を持って、係止爪７、８を外し、上方へ持ち上げれば、二股部５が針柄２から外れて、針柄２に対する拘束がなくなり、針管３から、針１を取出すことができる。
尚、取外しを容易にする目的で、二股部５の先端部を係止爪７より先方へ延長させ、手で持ちやすくするようにしてもよい。
【００２０】
また、係止爪７と係止爪８とを、熱溶着、超音波溶着、あるいは接着剤による接着で、外力を加えることで分離可能なように、固着してもよい。このようにすれば、より確実に固定状態を維持できる他、一度、取外すと（分離すると）、再使用できないので、使い捨てを担保することができ、二次感染防止に有効である。
また、熱溶着、超音波溶着、あるいは接着剤による接着で、外力を加えることで分離可能なように、固着する際は、必ずしも係止爪７、８を設ける必要はなく、係合片４の先端部と針管３本体とを少なくとも一点で固着すればよい。
【００２１】
図５及び図６は本発明の第３実施形態を示し、図５は針及び針管の正面図及び平面図、図６は固定状態での正面図及び平面図である。
針１（針柄２）と針管３との固定のため、針管３に、その針柄２側の端部より半径方向外側に突出する可撓性を有する係合片４を設ける。この係合片４の先端部には二股部（フォーク状部）５を形成する。この二股部５の内側の最奥部は、針柄２の径と同じかやや小さい径のアール部５ａをなし、アール部５ａより先端側はアール部５ａの径より狭い幅で開口している。言い換えれば、係合片４は、その先端側に、針柄２に嵌合する穴を有し、この穴は先端側へ向かう切り込みによって開くことができるようになっている。
【００２２】
固定する際は、図６に示すように、係合片４を撓ませてＵ字状に折り返し、係合片４の二股部５を針柄２に嵌め、二股部５のアール部５ａで針柄２の上部を押圧し、針柄２の下部を針管３の内壁に押圧する。
このとき、Ｕ字状に折り返した係合片４の上側部分を水平状態（針管３の端面と平行な状態）より更に押込むことで、係合片４の弾性復元力により、固定状態が保持される。
【００２３】
また、この状態で、係合片４の二股部５は、弾性力により針柄２に嵌合して針柄２を把持しているので、確実に固定することができる。
これにより、針柄２と針管３とが一体化されるので、この状態で、包装し、滅菌すればよい。
鍼治療に使用する際は、二股部５を開いて、把持力を弱めつつ、二股部５を上方へ持ち上げれば、二股部５が針柄２から外れて、針柄２に対する拘束がなくなり、針管３から、針１を取出すことができる。
【００２４】
以上説明した実施形態によれば、針管の針柄側の端部より半径方向外側に突出し、先端部に二股部を形成した可撓性を有する係合片を設け、この係合片を撓ませてＵ字状に折り返した状態で、二股部により針柄を針管の内壁に押圧して、針柄と針管とを固定することにより、部品点数を増やすことなく、また針柄が金属製であると樹脂製であるとを問わずに、確実に固定できる。
【００２５】
また、一体型のクサビ、係止爪、あるいは、直接固着するなどして、Ｕ字状に折り返した係合片と針管とを固定すること（係合片と針管とを固定する構造を持つこと）で、確実に固定状態を維持できる。
【産業上の利用可能性】
【００２６】
本発明によれば、針に対する保護、取扱いの容易性などが向上し、産業上の利用可能性は大である。
【図面の簡単な説明】
【００２７】
【図１】本発明の第１実施形態を示す針及び針管の正面図及び平面図
【図２】同上第１実施形態の固定状態での正面図及び平面図
【図３】本発明の第２実施形態を示す針及び針管の正面図及び平面図
【図４】同上第２実施形態の固定状態での正面図及び平面図
【図５】本発明の第３実施形態を示す針及び針管の正面図及び平面図
【図６】同上第３実施形態の固定状態での正面図及び平面図
【符号の説明】
【００２８】
１  針
２  針柄
３  針管
４  係合片
５  二股部
５ａ  アール部
６  クサビ
７、８  係止爪
【図１】
2005323796.tif 000003
【図２】
2005323796.tif 000004
【図３】
2005323796.tif 000005
【図４】
2005323796.tif 000006
【図５】
2005323796.tif 000007
【図６】
2005323796.tif 000008